(57)【要約】【課題】  本発明は、横葺屋根板の曲折接合部に取付ける雪止め器について、前記曲折接合部に対する上下部材の押圧潰しによって塗膜面を削り落としてしまう欠点を解消することを目的とする。【解決手段】  雪止め板１の後側部に半截箱形取付体４をその内側部に取付調整材９を設置して設け、該取付調整材は前側垂直部１０と締付部１１とから成り、取付調整材は前側垂直部に設けた長孔１２を介して前記半截箱形取付体及び雪止め板に枢着係合するとともに締付部と半截箱形取付体の底面部５との間には緊締螺子１５を装着して成る屋根用雪止め器である。【選択図】    図１
2014148816.tif 000002
【特許請求の範囲】
【請求項１】
雪止め板の後側部に半截箱形取付体をその内側部に取付調整材を設置して設け、該取付調整材は前側垂直部と締付部とから成り、取付調整材は前側垂直部に設けた長孔を介して前記半截箱形取付体及び雪止め板に枢着係合するとともに締付部と半截箱形取付体の底面部との間には緊締螺子を装着して成ることを特徴とする屋根用雪止め器。
【請求項２】
雪止め板の後側部に半截箱形取付体をその内側部に箱形取付調整材を設置して設け、該箱形取付調整材は前側垂直部に設けた長孔を介して前記半截箱形取付体及び雪止め板に枢着係合するとともに平面部と半截箱形取付体の底面部との間には緊締螺子を装着して成ることを特徴とする屋根用雪止め器。
【請求項３】
請求項１又は請求項２に記載した雪止め部材を雪止め板に並設して成ることを特徴とする屋根用雪止め器。
【発明の詳細な説明】
【技術分野】
【０００１】
本発明は、横葺屋根の法面に設置する雪止め器に関するものである。
【背景技術】
【０００２】
従来、横葺屋根の法面上に千鳥状に取付ける雪止め具にあっては、次の特許文献に示すようなものがある。
【先行技術文献】
【特許文献】
【０００３】
【特許文献１】実公昭６３−１５４６７号公報
【特許文献２】実公平６−２５５４４号公報
【特許文献３】特開平１１−９３３５５号公報
【０００４】
これらの雪止め具は、横葺屋根板の曲折接合部分（業界ではこの部分を「はぜ」と呼ぶ。）の適所に取付ける手段を提供するものではあるが、いずれも屋根板の曲折部を上下に挟合して締付け固定する部材としては、一時的にはその機能を果たしても、長期的には欠点が表出する部材となっている。即ち、文献１にあっては、支承受板の突片と締付板の締付片とが、文献２にあっては、挟持部材の係止先端部と座板部の係合部とが、文献３にあっては上方押圧部と下水平部の突出部とが、それぞれ前記屋根板曲折部を挟合しかつ押し潰すように加圧しているが、いずれも部材関係にあっても、上下部材による押し潰し作用によって屋根板曲折部の塗膜面を削り落とすことになるから、塗膜による錆び止め効果を喪失する原因となっていた。
【０００５】
また、文献１には取付板と基板との左右両側角部に連継する小さい側壁が設けられているが、この程度の側壁では補強効果は期待できないし、積雪に対する滑止め効果もないから、雪止め板の前倒れ状態を阻止することはできない。
【発明の概要】
【発明が解決しようとする課題】
【０００６】
そこで、本発明は、前記公知文献にあるような技術的欠点を一掃した雪止め器具を提供することを目的とするものである。
【課題を解決するための手段】
【０００７】
本発明は、雪止め板の後側部に半截箱形取付体をその内側部に取付調整材を設置して設け、該取付調整材は前側垂直部と締付部とから成り、取付調整材は前側垂直部に設けた長孔を介して前記半截箱形取付体及び雪止め板に枢着係合するとともに締付部と半截箱形取付体の底面部との間に緊締螺子を装着して成るものである。
【０００８】
本発明では、以上の本件構成から成る雪止め部材を、１個の雪止め板に複数個並設する。（実施例１の図１〜図３参照）
【０００９】
また本発明は、雪止め板の後側部に半截箱形取付体をその内側部に箱形取付調整材を設置して設け、該箱形取付調整材は前側垂直部に設けた長孔を介して前記半截箱形取付体及び雪止め板に枢着係合するとともに平面部と半截箱形取付体の底面部との間に緊締螺子を装着して成るものである。
【００１０】
本発明では、以上の基本的構成から成る雪止め部材を、１個の雪止め板に複数個並設する。（実施例２の図４・図５参照）
【発明の効果】
【００１１】
第１に、本器具に横葺屋根の法面に設置した第１実施例にあっては、積雪の加圧力を各雪止め板の半截箱形取付体がその半截両側壁部とともに十分受け止めて耐久力を発揮することができるから、雪止め板が座屈して雪止め効果を喪失してしまうようなおそれはない。
【００１２】
第２に、横葺屋根の法面に取付ける本雪止め器は、半截箱形取付体の内側部における取付調整材の締付部及び抑止部が、対向する底面部との間に挟合する横葺屋根板の曲折接合部分の厚さに合わせるように長孔に係合する鋲子の位動調整を介して緩やかに加減調整しながら挟み込むことができるようになるから、横葺屋根の接合部分の塗膜面に対しては水平に当接状態を保持することができ、したがって塗膜面へのひっかき傷が生ずるおそれはなく、塗膜面は安全になり、錆の発生のおそれはなくなる。
【００１３】
第３に、前記雪止め板に取付く半截箱形取付体はその前側垂直部と左右両側壁と底面部との三者の角面部分は円弧状に形成しているものであるから、屋根の法面に対して垂直方向に過剰な衝撃を与えることなく確実に取付けることができるようになり、屋根板の塗膜面に対し剥離や損傷などを与えるおそれはない。
【図面の簡単な説明】
【００１４】
【図１】全体の背斜視図
【図２】全体の側斜視図
【図３】全体の正斜視図
【図４】他の実施例の全体の背斜視図
【図５】図４のＡ−Ａ線断面図
【発明を実施するための形態】
【００１５】
本発明の２つの実施例にあって共通点は、雪止め板の後側部に設けた半截箱形取付体の形態にある。即ち、半截箱形取付体はその前側垂直部と左右両側壁と底面部から成る円弧状面部が、横葺屋根面やその曲折接合部分（はぜ）に対して平穏な状態で締付け固定するようになる。
【００１６】
しかも、曲折接合部分に対しては、その厚さに即応できるように半截箱形取付体内の取付調整材等の上下調整が円滑にできるから、その締付け固定は確実である。
【実施例１】
【００１７】
１は正面長方形状に成る雪止め板で、この雪止め板の下端部は前方に前底部２を形成し、雪止め板の上端部は後方に後頂部３を形成する。
【００１８】
４，４は前記雪止め板１の後側部に間隔をおいて並設した箱形取付体で、この箱型取付体の形状全体は正方形体を斜め半截体にしたものである。したがって、この半截箱形取付体４の左右両側部には、底面部５と前面部６との間に半截壁面部７，７が構成されている。
【００１９】
また、この半截壁面部を含む箱形取付体４の前側垂直部および底面部の角部分は、円弧状面に形成されている。
【００２０】
８は前記雪止め板１と前記半截箱形取付体４の前面部６との間に固着する鋲子で、この鋲子は後記取付調整材９の前側垂直部１０に設けた長孔１２に係合する。
【００２１】
９は前記半截箱形取付体４の内側部に設置する取付調整材で、この取付調整材は前側垂直部１０及び水平の締付部１１から成り、前側垂直部の中央部には長孔１２を設け、この長孔には前記鋲子８の頭部が係合するようになる。
【００２２】
１３は前記取付調整材９の締付部１１の後端部に曲折形成した抑止部で、この抑止部に対向する位置の前記半截箱形取付体４の底面部５の後端部には上向きの後端曲折部１４を設けている。
【００２３】
１５は前記取付調整材９の締付部１１の中央部と前記半截箱形取付体４の底面部５の中央部間に架設した緊締螺子で、横葺屋根板の曲折接合部分（はぜ）ａを、下部の半截箱形取付体４の底面部５の後端曲折部１４と上部の取付調整材９の締付部１１の抑止部１３との間に挟合した後に、これを緊締螺子１５によって締着する。
【実施例２】
【００２４】
他の実施例（図４・図５）にあっては、半截箱形取付体４の内側部に設置する取付調整材は箱形に成り、この箱形調整材１６の前側垂直部１７の中央部には長孔１８を設け、この長孔には、前記雪止め板１に固着する箱形調整材１６の前面部６との間の鋲子１９の頭部が係合するようになる。
【００２５】
２０は前記箱形調整材１６の後側垂直部で、この後側垂直部の下端部には抑止部２１を設け、この抑止部は前記半截箱形取付体４の底面部５の後端曲折部１４に対応するようになり、横葺屋根板の曲折接合部分（はぜ）ａを、上部の箱形調整材１６の後側垂直部の下端抑止部２１と下部の半截箱形取付体４の底面部の後端曲折部１４との間に挟合する。
【００２６】
２２は前記箱形取付調整材１６の平面部で、この平面部を貫通して緊締螺子２３が前記半截箱形取付体４の底面部５との間に架設し、これによって前記曲折接合部分（はぜ）ａを締着するようになる。
【符号の説明】
【００２７】
１                            雪止め板
２                            前底部
３                            後頂部
４                            半截箱形取付体
５                            底面部
６                            前面部
７，７                        半截壁面部
８                            鋲子
９                            取付調整材
１０                          前側垂直部
１１                          締付部
１２                          長孔
１３                          抑止部
１４                          後端曲折部
１５                          緊締螺子
１６                          箱形調整材
１７                          前側垂直部
１８                          長孔
１９                          鋲子
２０                          後側垂直部
２１                          抑止部
２２                          平面部
２３                          緊締螺子
ａ                            横葺屋根板の曲折接合部分（はぜ）
【図１】
2014148816.tif 000003
【図２】
2014148816.tif 000004
【図３】
2014148816.tif 000005
【図４】
2014148816.tif 000006
【図５】
2014148816.tif 000007